(57)【特許請求の範囲】
【請求項１】
屋根材を支持するための構造材に対して下地材が取り付けられ、該下地材で天井パネルを保持した天井構造であって、
前記構造材には、前記下地材を係合可能な固定金具が設けられ、
前記下地材は、前記固定金具に係合された状態で、前記構造材に対して締結具を用いて締結固定されており、
前記下地材は、前記天井パネルが挿入保持されるパネル保持部を有することを特徴とする天井構造。
【請求項２】
請求項１記載の天井構造において、
前記固定金具は、前記下地材を係合する被係合部を有することを特徴とする天井構造。
【請求項３】
請求項１又は２記載の天井構造において、
前記構造材は、支柱の上部に連結されて前記屋根材を支持する梁部材と、前記梁部材と直交する方向に沿って設けられ、該梁部材の上面に支持される構造補強材とを備えることを特徴とする天井構造。
【請求項４】
請求項３記載の天井構造において、
前記天井パネルは、その一縁部が前記梁部材の側面に対向配置され、
前記梁部材の側面には、前記天井パネルの一縁部の下方となる位置で該一縁部に向かって開口した水受部材が設けられていることを特徴とする天井構造。
【請求項５】
屋根材を支持するための構造材に対して下地材が取り付けられ、該下地材で天井パネルを保持した天井構造であって、
前記構造材には、前記下地材を係合可能な固定金具が設けられ、
前記下地材は、前記固定金具に係合された状態で、前記構造材に対して締結具を用いて締結固定されており、
前記下地材は、前記天井パネルが挿入保持されるパネル保持部を有し、
前記パネル保持部は、前記天井パネルの下面を支持する部分に水受部を有することを特徴とする天井構造。
【請求項６】
屋根材を支持するための構造材に対して下地材が取り付けられ、該下地材で天井パネルを保持した天井構造であって、
前記構造材には、前記下地材を係合可能な固定金具が設けられ、
前記下地材は、前記固定金具に係合された状態で、前記構造材に対して締結具を用いて締結固定されており、
前記構造材は、支柱の上部に連結されて前記屋根材を支持する梁部材と、前記梁部材と直交する方向に沿って設けられ、該梁部材の上面に支持される構造補強材とを備え、
前記屋根材は、少なくとも２本並列された前記梁部材の長手方向と直交する方向に延びた山形状を有する折板で構成され、
前記構造補強材は、前記折板の下側に挿入配置されて一方の前記梁部材の上面に載置された第１の基端構造補強材と、前記折板の下側に挿入配置されて他方の前記梁部材の上面に載置された第２の基端構造補強材と、前記第１の基端構造補強材及び前記第２の基端構造補強材の互いに対向する端部に対してそれぞれ連結金具を用いて締結固定された中間構造補強材とで構成されていることを特徴とする天井構造。
【請求項７】
請求項６記載の天井構造において、
前記連結金具は、前記中間構造補強材を係合する被係合部を有することを特徴とする天井構造。
【請求項８】
屋根材を支持するための梁部材に取り付けた構造補強材に対して下地材が取り付けられ、該下地材で天井パネルを保持した天井構造であって、
前記屋根材は、少なくとも２本並列された前記梁部材の長手方向と直交する方向に延びた山形状を有する折板で構成され、
前記構造補強材は、前記折板の山形状の下側に挿入配置されて一方の前記梁部材の上面に載置された第１の基端構造補強材と、前記折板の山形状の下側に挿入配置されて他方の前記梁部材の上面に載置された第２の基端構造補強材と、前記第１の基端構造補強材及び前記第２の基端構造補強材の互いに対向する端部に対してそれぞれ連結金具を用いて締結固定された中間構造補強材とで構成されていることを特徴とする天井構造。
【請求項９】
屋根材を支持するための梁部材に対して構造補強材を取り付け、該構造補強材に取り付けた下地材で天井パネルを保持する天井取付方法であって、
前記屋根材は、少なくとも２本並列された前記梁部材の長手方向と直交する方向に延びた山形状を有する折板で構成されており、
前記折板の山形状の下側に第１の基端構造補強材を挿入配置して一方の前記梁部材の上面に載置すると共に、前記折板の山形状の下側に第２の基端構造補強材を挿入配置して他方の前記梁部材の上面に載置し、
各梁部材の上面にそれぞれ載置された前記第１の基端構造補強材及び前記第２の基端構造補強材の互いに対向する端部にそれぞれ設けられた連結金具に対して中間構造補強材を締結固定することを特徴とする天井取付方法。
【発明の詳細な説明】
【技術分野】
【０００１】
本発明は、建造物の屋根の下に設けられる天井構造及び天井取付方法に関する。
【背景技術】
【０００２】
カーポートや物置等の建造物では、屋根を下から見上げた際の意匠を向上させ、或いは屋根についた結露水の滴下を防止するために屋根の下に天井を設ける場合がある。例えば特許文献１には、支柱の上端に支持された構造材に対して下地材を複数並列させて取り付け、この下地材で天井パネルを保持した天井構造が開示されている。
【先行技術文献】
【特許文献】
【０００３】
【特許文献１】特許第５３０３７２２号公報
【発明の概要】
【発明が解決しようとする課題】
【０００４】
ところで、このような天井の取付作業は各部材を手で支えながら上向きに取り付ける作業が多く、施工性が低い。例えば上記特許文献１の構成では、長尺且つある程度の重量物である下地材を手で支えた状態で構造材に対してねじ止め固定する必要がある。
【０００５】
本発明は、上記従来技術の課題を考慮してなされたものであり、天井を構成する部材の施工性を向上することができる天井構造及び天井取付方法を提供することを目的とする。
【課題を解決するための手段】
【０００６】
本発明に係る天井構造は、屋根材を支持するための構造材に対して下地材が取り付けられ、該下地材で天井パネルを保持した天井構造であって、前記構造材には、前記下地材を係合可能な固定金具が設けられ、前記下地材は、前記固定金具に係合された状態で、前記構造材に対して締結具を用いて締結固定されており、前記下地材は、前記天井パネルが挿入保持されるパネル保持部を有することを特徴とする。
【０００７】
また、本発明に係る天井取付方法は、屋根材を支持するための構造材に対して天井パネルを保持するための下地材を取り付ける天井取付方法であって、前記構造材に設けた固定金具に対して前記下地材を仮固定した後、該仮固定した下地材を前記構造材に対して締結具を用いて締結固定することで、前記下地材を前記構造材に取り付けることを特徴とする。
【０００８】
このような構成及び方法によれば、下地材を構造材に取り付けて天井を施工する際は、下地材を固定金具に係合させて仮固定しておき、この状態で容易にねじを用いた締結作業を行うことができる。これにより、下地材を手で支えながらねじ止めする必要がなく、天井の施工性が向上する。
【０００９】
本発明に係る天井構造において、前記固定金具は、前記下地材を係合する被係合部を有する構成であってもよい。そうすると、下地材の仮固定を一層容易に且つ円滑に行うことができる。
【００１０】
本発明に係る天井構造において、前記構造材は、支柱の上部に連結されて前記屋根材を支持する梁部材と、前記梁部材と直交する方向に沿って設けられ、該梁部材の上面に支持される構造補強材とを備える構成であってもよい。このように構造材が梁部材とその直交方向に配置される構造補強材とで構成されると、例えば下地材を支柱の上部に連結された梁部材の下面に対して直接的に取り付ける必要がなく、天井高を十分に確保した状態で天井を施工することができる。
【００１１】
本発明に係る天井構造において、前記屋根材は、少なくとも２本並列された前記梁部材の長手方向と直交する方向に延びた山形状を有する折板で構成され、前記構造補強材は、前記折板の下側に挿入配置されて一方の前記梁部材の上面に載置された第１の基端構造補強材と、前記折板の下側に挿入配置されて他方の前記梁部材の上面に載置された第２の基端構造補強材と、前記第１の基端構造補強材及び前記第２の基端構造補強材の互いに対向する端部に対してそれぞれ連結金具を用いて締結固定された中間構造補強材とで構成された構成であってもよい。そうすると、例えば天井を持たない既設の屋根に対して後付けで天井を施工する場合であっても、構造補強材を分割構造としたことにより、構造補強材を折板で構成された屋根材と梁部材との間に容易に設置することができ、施工性が一層向上する。
【００１２】
本発明に係る天井構造において、前記連結金具は、前記中間構造補強材を係合する被係合部を有する構成であってもよい。そうすると、中間構造補強材の基端構造補強材に対する連結作業が容易になる。
【００１３】
本発明に係る天井構造において、前記天井パネルは、その一縁部が前記梁部材の側面に対向配置され、前記梁部材の側面には、前記天井パネルの一縁部の下方となる位置で該一縁部に向かって開口した水受部材が設けられた構成であってもよい。そうすると、例えば屋根材の内面で発生し、その傾斜に沿って屋根材の下面を伝って流れる結露水を水受部材で効率よくトラップして、外部に排出することができる。
【００１４】
本発明に係る天井構造において、前記下地材は、前記天井パネルが挿入保持されるパネル保持部を有し、前記パネル保持部は、前記天井パネルの下面を支持する部分に水受部を有する構成であってもよい。そうすると、例えば屋根材の内面で発生し、屋根材の下面から天井パネルの上面に滴下された結露水を水受部で効率よく集水して、外部に排出することができる。
【００１５】
本発明に係る天井構造は、屋根材を支持するための梁部材に取り付けた構造補強材に対して下地材が取り付けられ、該下地材で天井パネルを保持した天井構造であって、前記屋根材は、少なくとも２本並列された前記梁部材の長手方向と直交する方向に延びた山形状を有する折板で構成され、前記構造補強材は、前記折板の山形状の下側に挿入配置されて一方の前記梁部材の上面に載置された第１の基端構造補強材と、前記折板の山形状の下側に挿入配置されて他方の前記梁部材の上面に載置された第２の基端構造補強材と、前記第１の基端構造補強材及び前記第２の基端構造補強材の互いに対向する端部に対してそれぞれ連結金具を用いて締結固定された中間構造補強材とで構成されていることを特徴とする。
【００１６】
また、本発明に係る天井取付方法は、屋根材を支持するための梁部材に対して構造補強材を取り付け、該構造補強材に取り付けた下地材で天井パネルを保持する天井取付方法であって、前記屋根材は、少なくとも２本並列された前記梁部材の長手方向と直交する方向に延びた山形状を有する折板で構成されており、前記折板の山形状の下側に第１の基端構造補強材を挿入配置して一方の前記梁部材の上面に載置すると共に、前記折板の山形状の下側に第２の基端構造補強材を挿入配置して他方の前記梁部材の上面に載置し、各梁部材の上面にそれぞれ載置された前記第１の基端構造補強材及び前記第２の基端構造補強材の互いに対向する端部にそれぞれ設けられた連結金具に対して中間構造補強材を締結固定することを特徴とする。
【００１７】
このような構成及び方法によれば、例えば天井を持たない既設の屋根に対して後付けで天井を施工する場合であっても、構造補強材を分割構造としたことにより、構造補強材を折板で構成された屋根材と梁部材との間に容易に設置することができ、施工性が向上する。
【発明の効果】
【００１８】
本発明によれば、天井を構成する部材を手で支えながらねじ止めする必要がなく、天井の施工性が向上する。
【図面の簡単な説明】
【００１９】
【図１】図１は、本発明の一実施形態に係る天井構造を備えた建造物の下面図である。
【図２】図２は、図１に示す建造物の天井付近での正面断面図である。
【図３】図３は、図１に示す建造物の天井付近での側面断面図である。
【図４】図４は、補強材に対する下地材の取付構造の一例を示す断面図である。
【図５】図５は、図４に示す下地材の補強材に対する取付手順を示した断面図であり、図５（Ａ）は、下地材を仮固定金具に対して仮固定する様子を示す図であり、図５（Ｂ）は、下地材を仮固定金具に対して仮固定した状態を示す図である。
【図６】図６は、排水構造の一例を示す断面図である。
【図７】図７は、分割構造を備えた補強材を既設の屋根の下に設置した状態を示す側面断面図である。
【図８】図８は、図７に示す補強材の施工手順を示す説明図であり、図８（Ａ）は、基端補強材を設置する様子を示す図であり、図８（Ｂ）は、中間構造補強材を設置する様子を示す図である。
【図９】図９は、連結金具を用いた補強材の連結手順を示す説明図であり、図９（Ａ）は、連結金具に対して補強材を係合させる様子を示す図であり、図９（Ｂ）は、連結金具に対して補強材を係合させて仮固定した状態を示す図である。
【発明を実施するための形態】
【００２０】
以下、本発明に係る天井構造について、この天井構造を構築するための天井取付方法との関係で好適な実施の形態を挙げ、添付の図面を参照しながら詳細に説明する。
【００２１】
図１は、本発明の一実施形態に係る天井構造１０を備えた建造物１２の下面図であり、天井構造１０を用いた天井１４を下から見上げた図である。図２は、図１に示す建造物１２の天井１４付近での正面断面図であり、図３は、図１に示す建造物１２の天井１４付近での側面断面図である。本実施形態では、天井構造１０をカーポートである建造物１２に適用した構成を例示するが、本発明はカーポート以外の建造物にも適用可能である。以下、カーポートである建造物１２に対する自動車の進入方向を基準とし、入口（手前）側を前側、奥側を後側、間口方向（左右方向）を幅方向と呼んで説明する。
【００２２】
図１〜図３に示すように、建造物１２は、支柱１６と、梁部材１８と、屋根２０と、天井１４とを備える。
【００２３】
支柱１６は、建造物１２の幅方向左右にそれぞれ前後２本ずつ立設されている。左右一対の支柱１６の上端部間は幅方向に延びた梁部材１８によって連結されている。つまり梁部材１８は、前後に２本が並列されている。支柱１６や梁部材１８の設置数は建造物１２の規模や仕様等によって適宜変更される。
【００２４】
屋根２０は、前後一対の梁部材１８の上面に載置されるように固定された屋根材２２と、屋根材２２の四周縁部を囲む縁枠２４とで構成されている。本実施形態の場合、屋根材２２は、梁部材１８の長手方向と直交する前後方向に延びた山形状を有する折板で構成されている。屋根材２２は、山形状の頂部内面が各梁部材１８の上面にねじ止め固定されたカラー部材２６に対してねじ２７によって締結固定され、山形状間の谷形状の底部外面が各梁部材１８の上面にねじ２８によって締結固定される。縁枠２４は、屋根材２２の四周縁部を覆うようにねじ止め固定される断面略コ字状の部材である。屋根２０は、梁部材１８に支持されて前下がりに設置され、前側の縁枠２４には雨水等の排水用の排水管２９が連結される。
【００２５】
天井１４は、梁部材１８の上面に固定された補強材（構造補強材）３０で支持された下地材３２により、複数の天井パネル３４を保持した構成である。
【００２６】
補強材３０は、前後の梁部材１８の上面に亘るように載置されて前後方向に延びており、幅方向に複数並列されている。補強材３０は、例えばアルミニウムやスチール等の金属材料を断面矩形に形成した押出形材である。補強材３０は、所定の締結金具３６を用いて梁部材１８の上面にねじ止め固定されている（図２参照）。
【００２７】
下地材３２は、幅方向に並んだ補強材３０の下面に亘るように設けられて幅方向に延びており、前後方向に複数並列されている。下地材３２は、例えばアルミニウムやスチール等の金属材料を所定の断面矩形に形成した押出形材である。下地材３２は、補強材３０の下面に取り付けられた仮固定金具（固定金具）３８を用いて補強材３０の下面側に仮固定された後、補強材３０に対してねじ（締結具）４０を用いて締結固定されている（図３参照）。下地材３２には、天井パネル３４の前後縁部を保持する断面略コ字状のパネル保持部４２が一体的に設けられている（図３参照）。
【００２８】
天井パネル３４は、平面視で長方形状の薄いパネル材で構成され、この天井パネル３４を複数枚配設することで天井１４が構成される（図１参照）。天井パネル３４は、その前後縁部が互いに対向する仮固定金具３８のパネル保持部４２に対して挿入され、幅方向で一方側から他方側に向かって複数枚が順にスライドされて設置される。
【００２９】
幅方向で最も一方寄りに配置される天井パネル３４は、その幅方向の一縁部が前後方向に延在するスタート側保持部４４に挿入保持される（図２中で最も右側の天井パネル３４の右縁部参照）。幅方向で最も他方寄りに配置される天井パネル３４は、その幅方向の他縁部が前後方向に延在するエンド側保持部４５に挿入保持される（図２中で最も左側の天井パネル３４の左縁部参照）。また、幅方向に隣接する天井パネル３４，３４同士は、互いの幅方向で一縁部と他縁部とが互いに重なり合わせに連結保持される。これら天井パネル３４は、ねじ４６を用いて下地材３２に締結固定される（図３及び図４参照）。
【００３０】
次に、本実施形態に係る天井構造１０における補強材３０に対する下地材３２の取付構造及び方法について具体的に説明する。
【００３１】
図４は、補強材３０に対する下地材３２の取付構造の一例を示す断面図であり、図３中の所定の下地材３２の周辺を拡大した図である。図５は、図４に示す下地材３２の補強材３０に対する取付手順を示した断面図である。
【００３２】
下地材３２を仮固定するための仮固定金具３８は、図４に示すように補強材３０の下面にねじ４８を用いて固定されている。仮固定金具３８は、補強材３０への当接面から屈曲垂下されたＬ字形状と、このＬ字形状の先端から水平方向に突出すると共に上方に屈曲形成されたＬ字形状とを有した形状である。すなわち、仮固定金具３８は、断面Ｌ字状の板材の下端に断面Ｌ字状で上を向いた被係合部３８ａを設けた構成である。
【００３３】
下地材３２は、断面矩形状に形成された下地本体３２ａの上部一側面に係合部３２ｂが膨出形成され、上部他側面に取付片部３２ｃが突出形成され、下部一側面にパネル保持部４２が突出形成されている。係合部３２ｂは、その下面先端に爪部３２ｄを有し、仮固定金具３８の被係合部３８ａにスナップイン方式で係合される部分である。取付片部３２ｃは、ねじ４０を用いて補強材３０に締結固定される部分である。パネル保持部４２は、断面略コ字状に形成され、天井パネル３４の前縁部又は後縁部が挿入保持される部分である。
【００３４】
下地材３２を補強材３０に取り付ける際は、先ず、図５（Ａ）に示すように係合部３２ｂを仮固定金具３８の被係合部３８ａに対して係合させて爪部３２ｄを引っ掛ける。そうすると、図５（Ｂ）に示すように下地材３２が補強材３０に対して係合保持された仮固定状態となる。そこで、図５（Ｂ）に示すようにねじ４０によって取付片部３２ｃを補強材３０の下面に締結固定する。これにより、下地材３２は、一側面の係合部３２ｂが仮固定金具３８に係合され、他側面の取付片部３２ｃが補強材３０に締結固定された状態で補強材３０に対して取付固定される（図４参照）。
【００３５】
ところで、屋根２０の内面で結露を生じた場合、その結露水が天井１４の各隙間から滴下する可能性がある。このため、本実施形態に係る天井構造１０は、屋根２０で生じた結露水を適切に排水する排水構造５０を備えてもよい。
【００３６】
そこで、次に、天井構造１０に設けた排水構造５０について説明する。
【００３７】
図６は、排水構造５０の一例を示す断面図であり、図３中の所定の梁部材１８の上端部周辺を拡大した図である。
【００３８】
図６に示すように、天井パネル３４は、その前縁部及び後縁部が下地材３２のパネル保持部４２で保持された状態で梁部材１８の側面に対向配置されている。このため、屋根材２２の内面で発生した結露水Ｗは、例えば屋根２０の前下がりの傾斜に沿って屋根材２２の下面を伝って流れる流れＷ１と、屋根材２２の下面から滴下されて天井パネル３４の上面を伝って流れる流れＷ２とを生じる。
【００３９】
そこで、本実施形態の排水構造５０は、流れＷ１の結露水Ｗを受け止めるための水受部材５２を有する。水受部材５２は、梁部材１８の側面における天井パネル３４の縁部よりも下方となる位置で、この縁部に向かって開口した断面略Ｌ字状の押出形材である。水受部材５２は梁部材１８の長手方向に沿って延在し、梁部材１８の側面にねじ止め固定されている。これにより、水受部材５２は、例えば屋根材２２の下面から梁部材１８の前後側面に滴下された流れＷ１の結露水Ｗを集水し、集水した水を例えば左右一方の支柱１６の外面側へと排水する。この際、水受部材５２は、その梁部材１８に対するねじ止め部分に止水材５３を挟み込んで取り付けられている。このため、水受部材５２で集水した水が梁部材１８との間の隙間から滴下することが防止されている。
【００４０】
さらに排水構造５０は、流れＷ２の結露水Ｗを受け止めるための水受部５４を有する。水受部５４は、天井パネル３４の前後縁部を保持するパネル保持部４２のうち、少なくとも下方側となる前縁部を保持するパネル保持部４２に設けられることで、下地材３２の長手方向に沿って延在している。天井パネル３４の下面を支持する水受部５４の下板には、その開口縁部に上方に突出した止水凸部５４ａが設けられ、その内面に水を受け止めることができる。これにより、水受部５４は、例えば天井パネル３４の上面を伝う流れＷ２の結露水Ｗを集水し、集水した水を例えば左右一方の支柱１６の外面側へと排水する。
【００４１】
ところで、図２及び図３に示すように、補強材３０は屋根２０の前後方向に沿った長尺な部材である。従って、仮に天井１４が設けられず、屋根２０のみを梁部材１８の上に設置した既設の建造物１２に対し、後付けで補強材３０等を設置して天井１４を施工する場合、補強材３０の梁部材１８の上面への設置作業は困難である。すなわち、図２に示す構成において、補強材３０を既設の屋根２０と梁部材１８の間であって折板である屋根材２２の山形状の内側に挿入する際は、例えば縁枠２４を取り外す等の作業が必要となり、非常に手間がかかる。このため、本実施形態に係る天井構造１０は、後付け施工を容易にする構成を備えた補強材６０を用いてもよい。
【００４２】
そこで、次に、後付け時の施工性を向上させる補強材６０の構成例及び施工手順を説明する。
【００４３】
図７は、分割構造を備えた補強材６０を既設の屋根２０の下に設置した状態を示す側面断面図であり、図８は、図７に示す補強材６０の施工手順を示す説明図である。図９は、連結金具６２を用いた補強材６０の連結手順を示す説明図である。
【００４４】
図７に示すように、補強材６０は、互いに間隔をあけて設置される２本の基端補強材６０ａ，６０ｂと、これら基端補強材６０ａ，６０ｂ間を連結する中間構造補強材６０ｃとを備えた分割構造である。
【００４５】
一方の基端補強材（基端構造補強材）６０ａは、屋根材２２の山形状の下側に挿入配置されて後側の梁部材１８の上面に載置され、梁部材１８に対してＬ字金具６４を用いて締結固定される。他方の基端補強材（基端構造補強材）６０ｂは、屋根材２２の山形状の下側に挿入配置されて前側の梁部材１８の上面に載置され、梁部材１８に対してＬ字金具６４を用いて締結固定される。中間構造補強材６０ｃは、これら基端補強材６０ａ，６０ｂの梁部材１８の上面から突き出して互いに対向する両端部に対し、それぞれ連結金具６２を用いて締結固定される。基端補強材６０ａ，６０ｂ及び中間構造強材６０ｃは、例えばアルミニウムやスチール等の金属材料を断面略矩形状に形成すると共に、幅方向両側の下端部にそれぞれ外方に突出した係合片部６５を形成した押出形材である。
【００４６】
連結金具６２は、基端補強材６０ａ，６０ｂの互いに対向配置される端部に対し、それぞれねじ６６を用いて予め連結された状態で準備される。連結金具６２は断面略ハット形で下向きに開口し、基端補強材６０ａ，６０ｂよりも長手方向が短尺に形成された部材である。連結金具６２は、その開口内に基端補強材６０ａ，６０ｂ及び中間構造補強材６０ｃを収納可能な形状を有する（図９参照）。図９に示すように、連結金具６２の幅方向両側の下端部には、それぞれ外方に突出した被係合部６２ａが設けられている。各被係合部６２ａは、その先端に下向き且つ内向きに突出した爪部６２ｂを有し、中間構造補強材６０ｃ等の係合片部６５がスナップイン方式で係合される部分である。
【００４７】
補強材６０を施工する際は、先ず、基端補強材６０ａ，６０ｂのそれぞれの一端部に連結金具６２を被せて、基端補強材６０ａ，６０ｂと連結金具６２との間をねじ６６で締結固定する（図８（Ａ）参照）。この基端補強材６０ａ，６０ｂと連結金具６２との締結作業は、図９に示す中間構造補強材６０ｃと連結金具６２との締結作業と同様に行うことができる。これにより、各基端補強材６０ａ，６０ｂの端部に連結金具６２が取り付けられた状態となる。連結金具６２は、その長手方向寸法の半分程度が各基端補強材６０ａ，６０ｂの端部から突出した位置となるように連結される。
【００４８】
次に、図８（Ａ）に示すように、例えば一方の基端補強材６０ａを連結金具６２側とは反対側の端部から屋根材２２の山形状の内側に挿入し、一方の梁部材１８の上面に載置し、Ｌ字金具６４を用いて梁部材１８にねじ止め固定する。そうすると、図８（Ａ）に示すように基端補強材６０ａの連結金具６２側の端部が梁部材１８の上面から前方に突出した状態となる。同様に、図８（Ａ）に示すように、他方の基端補強材６０ｂを連結金具６２側とは反対側の端部から屋根材２２の山形状の内側に挿入し、他方の梁部材１８の上面に載置し、Ｌ字金具６４を用いて梁部材１８にねじ止め固定する。そうすると、図８（Ｂ）に示すように基端補強材６０ｂの連結金具６２側の端部が梁部材１８の上面から後方に突出した状態となる。その結果、前後の基端補強材６０ａ，６０ｂに取り付けた連結金具６２，６２同士が所定間隔を介して互いに対向配置される（図８（Ｂ）参照）。
【００４９】
そこで、図８（Ｂ）及び図９（Ａ）に示すように前後の基端補強材６０ａ，６０ｂの連結金具６２，６２に対して中間構造補強材６０ｃの前後の端部をそれぞれ下方から挿入する。そして、図９（Ｂ）に示すように各係合片部６５を各被係合部６２ａに係合させて爪部６２ｂに各係合片部６５を引っ掛ける。そうすると、中間構造補強材６０ｃが前後の連結金具６２に対して係合保持された仮固定状態となる。そこで、中間構造補強材６０ｃの係合片部６５と連結金具６２の被係合部６２ａとの間をねじ６８を用いて締結固定する。これにより、中間構造補強材６０ｃが各基端補強材６０ａ，６０ｂと連結金具６２を介して連結固定される。その結果、図７に示すように基端補強材６０ａ，６０ｂ及び中間構造補強材６０ｃが１本の補強材６０として形成された状態で梁部材１８の上面に取付固定される。
【００５０】
以上のように、本実施形態に係る天井構造１０では、屋根材２２を支持するための構造材となる梁部材１８に取り付けた補強材３０（６０）に対して下地材３２が取り付けられ、下地材３２で天井パネル３４を保持した構造において、補強材３０（６０）には、下地材３２を係合可能な仮固定金具３８が設けられ、下地材３２は、仮固定金具３８に係合された状態で、補強材３０（６０）に対して締結具であるねじ４０を用いて締結固定されている。
【００５１】
従って、下地材３２を補強材３０（６０）に取り付けて天井１４を施工する際は、下地材３２を仮固定金具３８に係合させて仮固定しておき、この状態で容易にねじ４０を用いた締結作業を行うことができる。これにより、下地材３２を手で支えながらねじ４０でねじ止めする必要がなく、天井１４の施工性が向上する。この際、下地材３２は、仮固定金具３８に対してスナップイン方式で係合される。このため、下地材３２の仮固定を一層容易に且つ円滑に行うことができ、施工性が一層向上する。
【００５２】
当該天井構造１０では、少なくとも２本並列された各梁部材１８の長手方向と直交する方向に延びた山形状を有する折板で構成された屋根材２２を用いている。そして、補強材６０として、一方の梁部材１８の上面に載置された基端補強材６０ａと、他方の梁部材１８の上面に載置された基端補強材６０ｂと、基端補強材６０ａ，６０ｂの互いに対向する端部に対してそれぞれ連結金具６２を用いて締結固定された中間構造補強材６０ｃとで構成されている。
【００５３】
従って、天井１４を持たない既設の屋根２０に対して後付けで天井１４を施工する場合であっても、補強材６０を分割構造としたことにより、補強材６０を折板で構成された屋根材２２と梁部材１８との間に容易に設置することができ、施工性が一層向上する。勿論、分割構造の補強材６０は天井１４の後付け施工ではなく、屋根２０と合わせて天井１４を施工する際にも利用できる。この場合であっても、長尺である程度の重量物である補強材６０が分割されているため、１本の棒状に形成された補強材３０よりも高い施工性が得られる。
【００５４】
この際、当該天井構造１０では、中間構造補強材６０ｃは、連結金具６２に対してスナップイン方式で係合される。このため、中間構造補強材６０ｃを連結金具６２（基端補強材６０ａ，６０ｂ）に係合させて仮固定しておき、この状態で容易にねじ６８を用いた締結作業を行うことができる。これにより、中間構造補強材６０ｃを手で支えながらねじ６８でねじ止めする必要がなく、天井１４の施工性が向上する。
【００５５】
なお、本発明は、上記した実施形態に限定されるものではなく、本発明の主旨を逸脱しない範囲で自由に変更できることは勿論である。
【００５６】
上記実施形態では、屋根材２２を支持する構造材として、梁部材１８と補強材３０（６０）とを備えた構成を例示したが、これら以外の構造材に対して天井１４を設けてもよい。また、例えば梁部材１８に下地材３２を取り付ける構造等としてもよい。
【００５７】
また、例えば仮固定金具３８に対する下地材３２の仮固定の構造は、上記したスナップイン方式以外の構造であってもよい。例えば仮固定金具３８側からボルトの頭部を突出させておき、この頭部に下地材に形成した孔部を引っ掛けて係合させる構造等であってもよい。同様に、連結金具６２に対する中間構造補強材６０ｃの仮固定の構造も他の構造であってもよい。
【符号の説明】
【００５８】
１０  天井構造、１２  建造物、１４  天井、１６  支柱、１８  梁部材、２０  屋根、２２  屋根材、２４  縁枠、２７，２８，４０，４６，４８，６６，６８  ねじ、３０，６０  補強材、３２  下地材、３２ａ  下地本体、３２ｂ  係合部、３２ｃ  取付片部、３２ｄ，６２ｂ  爪部、３４  天井パネル、３８  仮固定金具、３８ａ，６２ａ  被係合部、４２  パネル保持部、５０  排水構造、５２  水受部材、５４  水受部、６０ａ，６０ｂ  基端補強材、６０ｃ  中間構造補強材、６２  連結金具、６５  係合片部
【図１】
0006683521.tif 000002
【図２】
0006683521.tif 000003
【図３】
0006683521.tif 000004
【図４】
0006683521.tif 000005
【図５】
0006683521.tif 000006
【図６】
0006683521.tif 000007
【図７】
0006683521.tif 000008
【図８】
0006683521.tif 000009
【図９】
0006683521.tif 000010